(57)【要約】【課題】施工時等におけるデッキプレートのハンドリンク性を向上することができ、しかも、デッキプレートの取付けを簡易に行っていくことができ、加えて、耐火被覆の点での有利性も発揮することができる、デッキ型耐火構造屋根を提供する。【解決手段】耐火被覆無しのデッキプレート１の下面側に同じく耐火被覆無しの鋼製母屋５が取り付けられて耐火構造屋根本体９が形成され、該耐火構造屋根本体９の母屋５が、耐火被覆のなされた建物の鋼製梁２に取り付けられている。【選択図】      図１
2005282190.tif 000002
【特許請求の範囲】
【請求項１】
耐火被覆無しのデッキプレートの下面側に同じく耐火被覆無しの母屋が取り付けられて耐火構造屋根本体が形成され、該耐火構造屋根本体の母屋が、耐火被覆のなされた建物の梁に取り付けられていることを特徴とするデッキ型耐火構造屋根。
【発明の詳細な説明】
【技術分野】
【０００１】
本発明は、例えば、店舗、工場、倉庫、事務所、住宅等の建物に用いられるデッキ型耐火構造屋根に関する。
【背景技術】
【０００２】
建物の鉄骨梁にデッキプレートをわたし、その上に断熱材を敷き、その上を防水シートで仕上げ、梁には耐火被覆を施すが、デッキプレートには耐火被覆を施さないデッキ型耐火構造屋根は、従来より提供されている。
【発明の開示】
【発明が解決しようとする課題】
【０００３】
しかしながら、上記のような耐火構造屋根では、デッキプレートを建物の梁にわたすように取り付けるため、デッキプレートの支持スパンが長くなりやすく、デッキプレートとしてそれに耐火上耐えうる肉厚寸法のものを用いなければならず、デッキプレートの重量が大きくなって、施工時等におけるデッキプレートのハンドリング性を悪くしてしまうという問題があった。
【０００４】
また、上記の屋根では、デッキプレートは建物の梁に直接取り付けられるものであるため、取付けを、ドリリングタッピングネジで簡易に行っていくことが実際上困難で、そのため、焼き抜き栓溶接や発射打込み鋲による方法を選択せざるをえないという問題もあった。
【０００５】
本発明は、上記のような問題点をきっかけとしてなされたものであって、施工時等におけるデッキプレートのハンドリンク性を向上することができ、しかも、デッキプレートの取付けを簡易に行っていくことができ、加えて、耐火被覆の点での有利性も発揮することができる、デッキ型耐火構造屋根を提供することを課題とする。
【課題を解決するための手段】
【０００６】
上記の課題は、耐火被覆無しのデッキプレートの下面側に同じく耐火被覆無しの母屋が取り付けられて耐火構造屋根本体が形成され、該耐火構造屋根本体の母屋が、耐火被覆のなされた建物の梁に取り付けられていることを特徴とするデッキ型耐火構造屋根によって解決される。
【０００７】
この屋根では、デッキプレートと建物梁との間に母屋が備えられているので、母屋のピッチを小さくすることでデッキプレートの支持スパンを小さくすることができ、デッキプレートとして薄肉のものを採用することができて、施工時等におけるデッキプレートのハンドリンク性を向上することができる。
【０００８】
しかも、このように、デッキプレートと建物梁との間に母屋を用いた構造とすることで、デッキプレートの取付けを母屋に対して行うようになされているので、焼き抜き栓溶接や発射打込み鋲によらずとも、ドリリングタッピングネジなどによる方法で簡易に行っていくことができ、もちろん、梁への母屋の取付けもプレートを用いたボルト止めなどの方法で能率良く行っていくことができる。
【０００９】
加えて、デッキプレートも母屋も耐火被覆無しで、屋根本体を耐火構造にするものとなされているので、耐火被覆は建物の梁に対して行って、母屋やデッキプレートに対しては省略することができ、母屋を備えさせることによって、耐火被覆の手間がその分増えてしまうということもなく、能率良く施工を行っていくことができるし、耐火被覆による現場作業環境の悪化を招くこともない。
【００１０】
なお、「耐火被覆無しの母屋」とは、母屋の断面寸法、支持スパン、ピッチ、デッキプレートとの関係、梁との関係から、耐火被覆をしなくとも所定の耐火性能を満足しうる母屋を意味するものであることはいうまでもない。
【発明の効果】
【００１１】
本発明は、以上のとおりのものであるから、施工時等におけるデッキプレートのハンドリンク性を向上することができ、しかも、デッキプレートの取付けを簡易に行っていくことができ、加えて、それを実現するために採用された母屋に対する耐火被覆の必要もなく、施工の能率向上、作業環境の保全を実現することができる。
【発明を実施するための最良の形態】
【００１２】
次に、本発明の実施最良形態を図面に基づいて説明する。
【００１３】
図１〜図３に示す実施形態のデッキ型耐火構造屋根において、１はデッキプレート、２は建物の梁、３は断熱材、４は防水シート、そして、５が母屋であり、デッキプレート１と母屋５…とで耐火構造屋根の本体９を構成している。
【００１４】
建物の梁２は、Ｈ形鋼梁等の鋼製梁からなっていて、１時間耐火被覆１０がなされ、梁芯間隔ＬＨは２０００ｍｍ以下に設定されている。また、母屋５は、リップ溝形鋼等の鋼製母屋からなっていて、耐火被覆はなされず、梁２と直交する方向に向けられ、ピッチＬＭが例えば９１０ｍｍ以下で平行に並べられ、隣り合う梁２…間にその上面側においてわたされている。更に、デッキプレート１は、板厚寸法が例えば０．８ｍｍと薄肉のキーストンプレートからなり、山の稜線方向を母屋５と直交する方向に向けて母屋５…の上面側に設置され、耐火被覆はなされていない。
【００１５】
そして、母屋５は、梁２に溶接などで備えられたプレート６にボルト７で緊結されて梁２に取り付けられ、また、デッキプレート１は、ドリリングタッピングネジ８で母屋５に取り付けられている。母屋５の肉厚寸法は例えば２．３ｍｍである。
【００１６】
上記のデッキ型耐火構造屋根では、デッキプレート１と梁２…との間に母屋５…が備えられているので、母屋５…のピッチを小さくすることでデッキプレート１の支持スパンを小さくすることができ、デッキプレート１として薄肉のものを採用することができて、施工時等におけるデッキプレート１のハンドリンク性を向上することができる。
【００１７】
しかも、デッキプレート１の取付けは梁２…ではなく、母屋５…に対して行うことになるので、焼き抜き栓溶接や発射打込み鋲によらずとも、上記のようなドリリングタッピングネジ８で簡易に能率良く取付けを行っていくことができ、梁２…に対する母屋５…の取付けもプレート６を用いたボルト７による取付けで能率良く行っていくことができる。
【００１８】
加えて、耐火被覆のなされていない母屋５…と、同じく耐火被覆のなされていないもデッキプレート１とで、耐火構造屋根本体９を構成するようになされているので、耐火被覆は梁２…に対して行って、母屋５…やデッキプレート１に対しては省略することができ、母屋５…を備えさせることによって、耐火被覆の手間がその分増えてしまうということもなく、能率良く施工を行っていくことができるし、耐火被覆による現場作業環境の悪化を招くこともない。
【００１９】
以上に、本発明の実施形態を示したが、本発明はこれに限られるものではなく、発明思想を逸脱しない範囲で各種の変更が可能である。例えば、上記の実施形態では、デッキプレートとしてキーストンプレートを用いた場合を示しているが、その他のデッキプレートであってもよいし、折板などのその他の金属波板からなっていてもよい。デッキプレートの板厚寸法についても、０．４ｍｍ以上で１．２ｍｍ未満の寸法であるとよい。また、梁や母屋の断面形態についても種々の形態をしていてよく、制限はない。更に、母屋へのデッキプレートの取付けは、ドリリングタッピングネジ以外のもので行われてもよい。
【図面の簡単な説明】
【００２０】
【図１】実施形態の耐火構造屋根を示すもので、図（イ）は断面正面図、図（ロ）は断面側面図である。
【図２】同屋根の分解断面正面図である。
【図３】同屋根の分解斜視図である。
【符号の説明】
【００２１】
１…デッキプレート
２…建物の梁
５…母屋
９…耐火構造屋根本体
１０…１時間耐火被覆
【図１】
2005282190.tif 000003
【図２】
2005282190.tif 000004
【図３】
2005282190.tif 000005